(57)【要約】【課題】  ティッシュペーパーの取出し及び使用済みのティッシュペーパーの収納が容易であり、且つ、簡素で安価なティッシュペーパー収納箱を提供する。【解決手段】  ティッシュペーパー３，３…を連続的に取り出せるように構成されたティッシュペーパー収納箱１に於いて、ティッシュペーパー３，３…の取出口４を箱体２上面一端部近傍に形成すると共に、箱体２上面他端部近傍に使用済みティッシュペーパー８，８…を収納するための収納口９を形成し、且つ、箱体２内部には、未使用のティッシュペーパー３，３…と使用済みティッシュペーパー８，８…とを分離するための可撓性の撥水シート１０が設けられ、未使用のティッシュペーパー３，３…は、収納口９側から取出口４側に向かって折り畳まれ重ねて収納されるティッシュペーパー収納箱を提供する。【選択図】  図１
0003111647.tif 000002
【実用新案登録請求の範囲】
【請求項１】
箱体内部に複数枚の紙片状のティッシュペーパーが折り畳まれ重ねて収納され、且つ、隣接するティッシュペーパーが相互に一部折り重なるように収納されると共に、該箱体の上部にティッシュペーパーを取り出すための取出口が形成され、該取出口より該ティッシュペーパーを連続的に取り出せるように構成されたティッシュペーパー収納箱に於いて、前記取出口を前記箱体上面一端部近傍に形成すると共に、該箱体上面他端部近傍に使用済みティッシュペーパーを収納するための収納口を形成し、且つ、箱体内部には、未使用のティッシュペーパーと使用済みティッシュペーパーとを分離するための可撓性の撥水シートが設けられ、前記未使用のティッシュペーパーは、前記収納口側から取出口側に向かって折り畳まれ重ねて収納されることを特徴とするティッシュペーパー収納箱。
【請求項２】
上記ティッシュペーパー収納箱の底面一端部の略中央部近傍に、ミシン目を刻設して、該ミシン目を破断した時、該一端部を回転中心として回転自在の回転片を形成し、且つ、該回転片の略中心部に貫通孔を形成し、ミシン目を破断して回転片の一部を切り離し、前記一端部を回転中心として該回転片をティッシュペーパー収納箱の端面外方に延ばし、該貫通孔に止着ピンを貫通させて止着ピンを他所に止めることにより該ティッシュペーパー収納箱を他所に固定し、該ティッシュペーパー収納箱内のティッシュペーパーを取出し易く、且つ、使用済みティッシュペーパーを収納し易いように構成したことを特徴とする請求項１記載のティッシュペーパー収納箱。
【請求項３】
箱体内部に複数枚の紙片状のティッシュペーパーが折り畳まれ重ねて収納され、且つ、隣接するティッシュペーパーが相互に一部折り重なるように収納されると共に、該箱体の上部にティッシュペーパーを取り出すための取出口が形成され、該取出口より該ティッシュペーパーを連続的に取り出せるように構成されたティッシュペーパー収納箱に於いて、前記箱体下面に使用済みティッシュペーパーを収納するための収納口を形成すると共に、箱体内部には、未使用のティッシュペーパーと使用済みティッシュペーパーとを分離するための可撓性の撥水シートが設けられていることを特徴とするティッシュペーパー収納箱。
【請求項４】
上記収納口は、上記箱体に形成されたミシン目を破断して形成されることを特徴とする請求項１，２又は３記載のティッシュペーパー収納箱。
【請求項５】
上記撥水シートは、上記収納口と連通するように設けられた収納袋であることを特徴とする請求項１，２，３又は４記載のティッシュペーパー収納箱。
【請求項６】
上記収納口には使用済みティッシュペーパーを貫通させるための開口部が開穿された軟質フィルムが張設されていることを特徴とする請求項１，２，３，４又は５記載のティッシュペーパー収納箱。
【請求項７】
ティッシュペーパーを連続的に取り出せるように構成されたティッシュペーパー収納箱の底面に、他の空箱のティッシュペーパー収納箱の上面を貼着して重ね合わせ、該空箱のティッシュペーパー収納箱の一側面部に使用済みのティッシュペーパーを収納するための収納口を形成するためのミシン目を刻設したことを特徴とするティッシュペーパー収納箱複合体。
【請求項８】
ティッシュペーパーを連続的に取り出せるように構成されたティッシュペーパー収納箱の横側面に、該ティッシュペーパー収納箱の上面と上面が同一面となるようにして、他の空箱のティッシュペーパー収納箱の横側面を貼着して一体化し、該空箱のティッシュペーパー収納箱に使用済みのティッシュペーパーを収納するように構成したことを特徴とするティッシュペーパー収納箱複合体。
【請求項９】
一側面が開放されて開放口が形成され、前面に２つの開口部が開穿された箱型のティッシュペーパー収納箱収納体であって、前記開放口は、ティッシュペーパー取出口が同一面となるように互いの横側面を接触させて並べた状態の２つのティッシュペーパー収納箱が同時にティッシュペーパー収納箱の縦側面側を先頭として出し入れ自在であり、前記２つの開口部は、前記ティッシュペーパー収納箱収納体内に収納されたティッシュペーパー収納箱のティッシュペーパー取出口が夫々露出するように形成され、一方の前記ティッシュペーパー収納箱は取出口よりティッシュペーパーを連続的に取り出せるように構成され、他方の前記ティッシュペーパー収納箱は空箱であり、該ティッシュペーパー収納箱内に使用済みティッシュペーパーを収納自在に構成したことを特徴とするティッシュペーパー収納箱収納体。
【請求項１０】
上面が開放されて開放口が形成されると共に、該開放口を開閉自在の蓋体が設けられ、且つ、該蓋体に２つの開口部が開穿された箱型のティッシュペーパー収納箱収納体であって、前記開放口は、ティッシュペーパー取出口が同一面となるように互いの横側面を接触させて並べた状態の２つのティッシュペーパー収納箱が同時にティッシュペーパー収納箱の底面側を先頭として出し入れ自在であり、前記２つの開口部は、前記蓋体を閉じた時、前記ティッシュペーパー収納箱収納体内に収納されたティッシュペーパー収納箱のティッシュペーパー取出口が夫々露出するように形成され、一方の前記ティッシュペーパー収納箱は取出口よりティッシュペーパーを連続的に取り出せるように構成され、他方の前記ティッシュペーパー収納箱は空箱であり、該ティッシュペーパー収納箱内に使用済みティッシュペーパーを収納自在に構成したことを特徴とするティッシュペーパー収納箱収納体。
【請求項１１】
上面が開放されて開放口が形成されると共に、該開放口を開閉自在の蓋体が設けられ、且つ、該蓋体に一方の開口部が開穿され、一側面に他方の開口部が形成された箱型のティッシュペーパー収納箱収納体であって、前記開放口は、ティッシュペーパー取出口を上面にして上下２段に積み重ねた状態の２つのティッシュペーパー収納箱が同時に該ティッシュペーパー収納箱の横側面を先頭にして出し入れ自在であり、前記一方の開口部は、前記蓋体を閉じた時、収納された下段側の前記ティッシュペーパー収納箱の横側面に開穿される使用済みティッシュペーパー収納口が露出するように形成され、前記他方の開口部は、前記ティッシュペーパー収納箱収納体内に収納された上段のティッシュペーパー収納箱のティッシュペーパー取出口が露出するように形成され、前記上段のティッシュペーパー収納箱は取出口よりティッシュペーパーを連続的に取り出せるように構成され、前記下段のティッシュペーパー収納箱は空箱であり、該ティッシュペーパー収納箱内に使用済みティッシュペーパーを収納自在に構成したことを特徴とするティッシュペーパー収納箱収納体。
【考案の詳細な説明】
【技術分野】
【０００１】
本考案は、取出口よりティッシュペーパーを連続的に取り出せるように構成されたティッシュペーパー収納箱であって、ティッシュペーパーを取り出せると共に、使用済みのティッシュペーパーを収納できるティッシュペーパー収納箱、収納箱複合体、及びティッシュペーパー収納箱収納体に関する。
【背景技術】
【０００２】
近年、箱体内部に複数枚の紙片状のティッシュペーパーが折り畳まれ重ねて収納され、且つ、隣接するティッシュペーパーが相互に一部折り重なるように収納されると共に、箱体の上部にティッシュペーパーを取り出すための取出口が形成され、取出口よりティッシュペーパーを連続的に取り出せるように構成されたティッシュペーパー収納箱が広く普及している。
【０００３】
然しながら、前記ティッシュペーパー収納箱は、収納箱からティッシュペーパーを取り出すことが容易であるが、ティッシュペーパー収納箱自体に使用済みのティッシュペーパーを廃棄することは考慮されておらず、使用者は、使用済みのティッシュペーパーを廃棄する場合、使用済みのティッシュペーパーをゴミ箱等まで運んで廃棄する。
【０００４】
この使用済みのティッシュペーパーの廃棄が煩雑であるということから、例えば、特許文献１には、使用済みのティッシュペーパー等のごみを手軽に捨てられるようにしたホルダー付きのごみ入れが記載されている。
【０００５】
特許文献１のホルダー付きのごみ入れは、ごみの挿入口とは異なる位置に、挿入したごみを出すための排出口を設けた収容体と、この収容体と一体に設けられてティッシュペーパー入りの箱を収容すると共に、この箱内に入ったティッシュペーパーを取り出すための取出口を設けたホルダーと、前記排出口内に収納され、前記挿入口より入れたごみを収容するためのごみ箱とから成るホルダー付きのごみ入れが記載されている。
【０００６】
又、特許文献２には、ファスナ付きの気密ないし液密のプラスチックシートで成り、使用済みのティッシュペーパーを収納するための廃棄物用収納袋が設けられたティッシュペーパー収納箱が記載されている。
【特許文献１】特開平９−２７６１１８号公報
【特許文献２】特開２００１−２０６４６４号公報
【考案の開示】
【考案が解決しようとする課題】
【０００７】
前述した特許文献１及び２に記載の技術は、いずれも使用済みのティッシュペーパーを収納できるが、特許文献１に記載の技術は、ティッシュペーパー収納箱とは別に、ホルダー付きのごみ入れを製作するものであり、比較的に制作費がかかり、又、使用上も嵩張る等の問題点がある。
【０００８】
又、特許文献２に記載の技術は、ティッシュペーパー収納箱自体を加工するものであり、使用上で嵩張ることもないが、廃棄物用収納袋がファスナ付きであることから、比較的に制作費がかかり、又、使用上もファスナを開閉する操作を必要として、ワンタッチで使用済みティッシュペーパーを廃棄することができないという問題があり、更に、ファスナを開閉する時、或いは、使用済みのティッシュペーパーを挿入口から押し込む時、ティッシュペーパー収納箱が移動する虞があり、その移動を阻止するために、ティッシュペーパー収納箱を押さえていなければならない等の問題がある。
【０００９】
以上の現状に鑑み、本考案は、ティッシュペーパーの取出し及び使用済みのティッシュペーパーの収納が容易であり、且つ、簡素で安価なティッシュペーパー収納箱、収納箱複合体、及びティッシュペーパー収納箱収納体を提供することを目的とする。
【課題を解決するための手段】
【００１０】
上記の課題を解決すべく、本考案は以下の構成を提供する。
請求項１に係る考案は、箱体内部に複数枚の紙片状のティッシュペーパーが折り畳まれ重ねて収納され、且つ、隣接するティッシュペーパーが相互に一部折り重なるように収納されると共に、該箱体の上部にティッシュペーパーを取り出すための取出口が形成され、該取出口より該ティッシュペーパーを連続的に取り出せるように構成されたティッシュペーパー収納箱に於いて、前記取出口を前記箱体上面一端部近傍に形成すると共に、該箱体上面他端部近傍に使用済みティッシュペーパーを収納するための収納口を形成し、且つ、箱体内部には、未使用のティッシュペーパーと使用済みティッシュペーパーとを分離するための可撓性の撥水シートが設けられ、前記未使用のティッシュペーパーは、前記収納口側から取出口側に向かって折り畳まれ重ねて収納されることを特徴とするティッシュペーパー収納箱を提供するものである。
【００１１】
請求項２に係る考案は、上記ティッシュペーパー収納箱の底面一端部の略中央部近傍に、ミシン目を刻設して、該ミシン目を破断した時、該一端部を回転中心として回転自在の回転片を形成し、且つ、該回転片の略中心部に貫通孔を形成し、ミシン目を破断して回転片の一部を切り離し、前記一端部を回転中心として該回転片をティッシュペーパー収納箱の端面外方に延ばし、該貫通孔に止着ピンを貫通させて止着ピンを他所に止めることにより該ティッシュペーパー収納箱を他所に固定し、該ティッシュペーパー収納箱内のティッシュペーパーを取出し易く、且つ、使用済みティッシュペーパーを収納し易いように構成したことを特徴とする請求項１記載のティッシュペーパー収納箱を提供するものである。
【００１２】
請求項３に係る考案は、箱体内部に複数枚の紙片状のティッシュペーパーが折り畳まれ重ねて収納され、且つ、隣接するティッシュペーパーが相互に一部折り重なるように収納されると共に、該箱体の上部にティッシュペーパーを取り出すための取出口が形成され、該取出口より該ティッシュペーパーを連続的に取り出せるように構成されたティッシュペーパー収納箱に於いて、前記箱体下面に使用済みティッシュペーパーを収納するための収納口を形成すると共に、箱体内部には、未使用のティッシュペーパーと使用済みティッシュペーパーとを分離するための可撓性の撥水シートが設けられていることを特徴とするティッシュペーパー収納箱を提供するものである。
【００１３】
請求項４に係る考案は、上記収納口は、上記箱体に形成されたミシン目を破断して形成されることを特徴とする請求項１，２又は３記載のティッシュペーパー収納箱を提供するものである。
【００１４】
請求項５に係る考案は、上記撥水シートは、上記収納口と連通するように設けられた収納袋であることを特徴とする請求項１，２，３又は４記載のティッシュペーパー収納箱を提供するものである。
【００１５】
請求項６に係る考案は、上記収納口には使用済みティッシュペーパーを貫通させるための開口部が開穿された軟質フィルムが張設されていることを特徴とする請求項１，２，３，４又は５記載のティッシュペーパー収納箱を提供するものである。
【００１６】
請求項７に係る考案は、ティッシュペーパーを連続的に取り出せるように構成されたティッシュペーパー収納箱の底面に、他の空箱のティッシュペーパー収納箱の上面を貼着して重ね合わせ、該空箱のティッシュペーパー収納箱の一側面部に使用済みのティッシュペーパーを収納するための収納口を形成するためのミシン目を刻設したことを特徴とするティッシュペーパー収納箱複合体を提供するものである。
【００１７】
請求項８に係る考案は、ティッシュペーパーを連続的に取り出せるように構成されたティッシュペーパー収納箱の横側面に、該ティッシュペーパー収納箱の上面と上面が同一面となるようにして、他の空箱のティッシュペーパー収納箱の横側面を貼着して一体化し、該空箱のティッシュペーパー収納箱に使用済みのティッシュペーパーを収納するように構成したことを特徴とするティッシュペーパー収納箱複合体を提供するものである。
【００１８】
請求項９に係る考案は、一側面が開放されて開放口が形成され、前面に２つの開口部が開穿された箱型のティッシュペーパー収納箱収納体であって、前記開放口は、ティッシュペーパー取出口が同一面となるように互いの横側面を接触させて並べた状態の２つのティッシュペーパー収納箱が同時にティッシュペーパー収納箱の縦側面側を先頭として出し入れ自在であり、前記２つの開口部は、前記蓋体が閉じた時、前記ティッシュペーパー収納箱収納体内に収納されたティッシュペーパー収納箱のティッシュペーパー取出口が夫々露出するように形成され、一方の前記ティッシュペーパー収納箱は取出口よりティッシュペーパーを連続的に取り出せるように構成され、他方の前記ティッシュペーパー収納箱は空箱であり、該ティッシュペーパー収納箱内に使用済みティッシュペーパーを収納自在に構成したことを特徴とするティッシュペーパー収納箱収納体を提供するものである。
【００１９】
請求項１０に係る考案は、上面が開放されて開放口が形成されると共に、該開放口を開閉自在の蓋体が設けられ、且つ、該蓋体に２つの開口部が開穿された箱型のティッシュペーパー収納箱収納体であって、前記開放口は、ティッシュペーパー取出口が同一面となるように互いの横側面を接触させて並べた状態の２つのティッシュペーパー収納箱が同時にティッシュペーパー収納箱の底面側を先頭として出し入れ自在であり、前記２つの開口部は、前記蓋体を閉じた時、前記ティッシュペーパー収納箱収納体内に収納されたティッシュペーパー収納箱のティッシュペーパー取出口が夫々露出するように形成され、一方の前記ティッシュペーパー収納箱は取出口よりティッシュペーパーを連続的に取り出せるように構成され、他方の前記ティッシュペーパー収納箱は空箱であり、該ティッシュペーパー収納箱内に使用済みティッシュペーパーを収納自在に構成したことを特徴とするティッシュペーパー収納箱収納体を提供するものである。
【００２０】
請求項１１に係る考案は、上面が開放されて開放口が形成されると共に、該開放口を開閉自在の蓋体が設けられ、且つ、該蓋体に一方の開口部が開穿され、一側面に他方の開口部が形成された箱型のティッシュペーパー収納箱収納体であって、前記開放口は、ティッシュペーパー取出口を上面にして上下２段に積み重ねた状態の２つのティッシュペーパー収納箱が同時に該ティッシュペーパー収納箱の横側面を先頭にして出し入れ自在であり、前記一方の開口部は、前記蓋体を閉じた時、収納された下段側の前記ティッシュペーパー収納箱の横側面に開穿される使用済みティッシュペーパー収納口が露出するように形成され、前記他方の開口部は、前記ティッシュペーパー収納箱収納体内に収納された上段のティッシュペーパー収納箱のティッシュペーパー取出口が露出するように形成され、前記上段のティッシュペーパー収納箱は取出口よりティッシュペーパーを連続的に取り出せるように構成され、前記下段のティッシュペーパー収納箱は空箱であり、該ティッシュペーパー収納箱内に使用済みティッシュペーパーを収納自在に構成したことを特徴とするティッシュペーパー収納箱収納体を提供するものである。
【考案の効果】
【００２１】
本考案の請求項１記載の考案によれば、箱体内部に複数枚の紙片状のティッシュペーパーが折り畳まれ重ねて収納され、且つ、隣接するティッシュペーパーが相互に一部折り重なるように収納されると共に、該箱体の上部にティッシュペーパーを取り出すための取出口が形成され、該取出口より該ティッシュペーパーを連続的に取り出せるように構成されたティッシュペーパー収納箱に於いて、前記取出口を前記箱体上面一端部近傍に形成すると共に、該箱体上面他端部近傍に使用済みティッシュペーパーを収納するための収納口を形成し、且つ、箱体内部には、未使用のティッシュペーパーと使用済みティッシュペーパーとを分離するための可撓性の撥水シートが設けられ、前記未使用のティッシュペーパーは、前記収納口側から取出口側に向かって折り畳まれ重ねて収納されるティッシュペーパー収納箱を提供するので、ティッシュペーパーの取出し及び使用済みのティッシュペーパーの収納が容易であり、且つ、簡素で安価なティッシュペーパー収納箱を提供できる。
【００２２】
請求項２記載の考案によれば、上記ティッシュペーパー収納箱の底面一端部の略中央部近傍に、ミシン目を刻設して、該ミシン目を破断した時、該一端部を回転中心として回転自在の回転片を形成し、且つ、該回転片の略中心部に貫通孔を形成したので、請求項１記載の考案の効果に加え、ミシン目を破断して回転片の一部を切り離し、前記一端部を回転中心として該回転片をティッシュペーパー収納箱の端面外方に延ばし、該貫通孔に止着ピンを貫通させて止着ピンを他所に止めることにより該ティッシュペーパー収納箱を他所に固定し、該ティッシュペーパー収納箱内のティッシュペーパーを取出し易く、且つ、使用済みティッシュペーパーを収納し易くすることができる。
【００２３】
請求項３記載の考案によれば、箱体内部に複数枚の紙片状のティッシュペーパーが折り畳まれ重ねて収納され、且つ、隣接するティッシュペーパーが相互に一部折り重なるように収納されると共に、該箱体の上部にティッシュペーパーを取り出すための取出口が形成され、該取出口より該ティッシュペーパーを連続的に取り出せるように構成されたティッシュペーパー収納箱に於いて、前記箱体下面に使用済みティッシュペーパーを収納するための収納口を形成すると共に、箱体内部には、未使用のティッシュペーパーと使用済みティッシュペーパーとを分離するための可撓性の撥水シートが設けられているティッシュペーパー収納箱を提供するので、ティッシュペーパーの取出し及び使用済みのティッシュペーパーの収納が容易であり、且つ、簡素で安価なティッシュペーパー収納箱を提供できる。
【００２４】
請求項４記載の考案によれば、上記収納口は、上記箱体に形成されたミシン目を破断して形成されるので、請求項１，２又は３記載の考案の効果に加え、前記収納口の製作が容易であると共に、ミシン目を破断して収納口をワンタッチで形成できる。
【００２５】
請求項５記載の考案によれば、上記撥水シートは、上記収納口と連通するように設けられた収納袋であるので、請求項１，２，３又は４記載の考案の効果に加え、収納袋内に使用済みティッシュペーパーをコンパクトに収納できる。
【００２６】
請求項６記載の考案によれば、上記収納口には使用済みティッシュペーパーを貫通させるための開口部が開穿された軟質フィルムが張設されているので、請求項１，２，３，４又は５記載の考案の効果に加え、軟質フィルムを介して使用済みティッシュペーパーを容易に収納できる。
【００２７】
請求項７記載の考案によれば、ティッシュペーパーを連続的に取り出せるように構成されたティッシュペーパー収納箱の底面に、他の空箱のティッシュペーパー収納箱の上面を貼着して重ね合わせ、該空箱のティッシュペーパー収納箱の一側面部に使用済みのティッシュペーパーを収納するための収納口を形成するためのミシン目を刻設したティッシュペーパー収納箱複合体を提供するので、ティッシュペーパーの取出し及び使用済みのティッシュペーパーの収納が容易であり、且つ、簡素で安価なティッシュペーパー収納箱複合体を提供できる。
【００２８】
請求項８記載の考案によれば、ティッシュペーパーを連続的に取り出せるように構成されたティッシュペーパー収納箱の横側面に、該ティッシュペーパー収納箱の上面と上面が同一面となるようにして、他の空箱のティッシュペーパー収納箱の横側面を貼着して一体化し、該空箱のティッシュペーパー収納箱に使用済みのティッシュペーパーを収納するように構成したティッシュペーパー収納箱複合体を提供するので、ティッシュペーパーの取出し及び使用済みのティッシュペーパーの収納が容易であり、且つ、簡素で安価なティッシュペーパー収納箱複合体を提供できる。
【００２９】
請求項９記載の考案によれば、一側面が開放されて開放口が形成され、前面に２つの開口部が開穿された箱型のティッシュペーパー収納箱収納体であって、前記開放口は、ティッシュペーパー取出口が同一面となるように互いの横側面を接触させて並べた状態の２つのティッシュペーパー収納箱が同時にティッシュペーパー収納箱の縦側面側を先頭として出し入れ自在であり、前記２つの開口部は、前記ティッシュペーパー収納箱収納体内に収納されたティッシュペーパー収納箱のティッシュペーパー取出口が夫々露出するように形成され、一方の前記ティッシュペーパー収納箱は取出口よりティッシュペーパーを連続的に取り出せるように構成され、他方の前記ティッシュペーパー収納箱は空箱であり、該ティッシュペーパー収納箱内に使用済みティッシュペーパーを収納自在に構成したティッシュペーパー収納箱収納体を提供するので、ティッシュペーパーの取出し及び使用済みのティッシュペーパーの収納が容易であり、且つ、ティッシュペーパー収納箱の収納も容易であり、簡素で安価なティッシュペーパー収納体を提供できる。
【００３０】
請求項１０記載の考案によれば、上面が開放されて開放口が形成されると共に、該開放口を開閉自在の蓋体が設けられ、且つ、該蓋体に２つの開口部が開穿された箱型のティッシュペーパー収納箱収納体であって、前記開放口は、ティッシュペーパー取出口が同一面となるように互いの横側面を接触させて並べた状態の２つのティッシュペーパー収納箱が同時にティッシュペーパー収納箱の底面側を先頭として出し入れ自在であり、前記２つの開口部は、前記蓋体を閉じた時、前記ティッシュペーパー収納箱収納体内に収納されたティッシュペーパー収納箱のティッシュペーパー取出口が夫々露出するように形成され、一方の前記ティッシュペーパー収納箱は取出口よりティッシュペーパーを連続的に取り出せるように構成され、他方の前記ティッシュペーパー収納箱は空箱であり、該ティッシュペーパー収納箱内に使用済みティッシュペーパーを収納自在に構成したティッシュペーパー収納箱収納体を提供するので、ティッシュペーパーの取出し及び使用済みのティッシュペーパーの収納が容易であり、且つ、ティッシュペーパー収納箱の収納も容易であり、簡素で安価なティッシュペーパー収納体を提供できる。
【００３１】
請求項１１記載の考案によれば、上面が開放されて開放口が形成されると共に、該開放口を開閉自在の蓋体が設けられ、且つ、該蓋体に一方の開口部が開穿され、一側面に他方の開口部が形成された箱型のティッシュペーパー収納箱収納体であって、前記開放口は、ティッシュペーパー取出口を上面にして上下２段に積み重ねた状態の２つのティッシュペーパー収納箱が同時に該ティッシュペーパー収納箱の横側面を先頭にして出し入れ自在であり、前記一方の開口部は、前記蓋体を閉じた時、収納された下段側の前記ティッシュペーパー収納箱の横側面に開穿される使用済みティッシュペーパー収納口が露出するように形成され、前記他方の開口部は、前記ティッシュペーパー収納箱収納体内に収納された上段のティッシュペーパー収納箱のティッシュペーパー取出口が露出するように形成され、前記上段のティッシュペーパー収納箱は取出口よりティッシュペーパーを連続的に取り出せるように構成され、前記下段のティッシュペーパー収納箱は空箱であり、該ティッシュペーパー収納箱内に使用済みティッシュペーパーを収納自在に構成したティッシュペーパー収納箱収納体を提供するので、ティッシュペーパーの取出し及び使用済みのティッシュペーパーの収納が容易であり、且つ、ティッシュペーパー収納箱の収納も容易であり、簡素で安価なティッシュペーパー収納体を提供できる。
【考案を実施するための最良の形態】
【００３２】
以下、実施例を示した図面を参照しつつ本考案の実施の形態を説明する。
図１に於いて、１は本考案の第１実施例のティッシュペーパー収納箱であり、ティッシュペーパー収納箱１は、箱体２内部に複数枚の紙片状のティッシュペーパー３，３…が折り畳まれ重ねて収納され、且つ、隣接するティッシュペーパー３，３が相互に一部折り重なるように収納されると共に、箱体２の上部にティッシュペーパー３，３…を取り出すための取出口４が箱体２上面一端部近傍に形成され、取出口４よりティッシュペーパー３，３…を連続的に取り出せるように構成されている。
【００３３】
取出口４は箱体２の上面の一部を開穿して形成され、取出口４には、ティッシュペーパー３，３…を取り出すための直線状の開口部５が形成された軟質フィルム６が張設されている。尚、取出口４はミシン目（図示せず）を刻設し、ミシン目を破断して形成するようにしても良い。
【００３４】
又、第１番目に取り出すティッシュペーパー３には、最初のティッシュペーパー３の引き出しを容易にするため、図中二点鎖線で示すようなテープ７を貼付しても良い。
【００３５】
更に、箱体２上面他端部近傍に使用済みティッシュペーパー８，８…を収納するための収納口９を形成し、且つ、箱体２内部には、未使用のティッシュペーパー３，３…と使用済みティッシュペーパー８，８…とを分離するための可撓性の撥水シート１０が前記収納口９と連通するように収納袋状に設けられ、前記未使用のティッシュペーパー３，３…は、前記収納口９側から取出口４側に向かって折り畳まれ重ねて収納されている。
【００３６】
そして、前記収納口９は、箱体２に形成されたミシン目１１を矢印Ａ方向に押下して、二点鎖線の如く破断させて形成される。尚、図示は省略するが、収納口９は、箱体２の一部を開穿し、開穿した収納口９に、前記取出口４と同様に直線状の開口部が形成された軟質フィルムを張設して形成しても良い。
【００３７】
而して、前記ティッシュペーパー収納箱１は、前記取出口４の開口部５からティッシュペーパー３を１枚取り出すと、取り出したティッシュペーパー３が次のティッシュペーパー３の一部と折り重なっているため、次のティッシュペーパー３の先端が開口部５から一部露出し、その後も同様の状態となるため、ティッシュペーパー３を連続的に取り出すことができる。
【００３８】
一方、取り出して使用した使用済みティッシュペーパー８は、前記収納口９から、収納袋状の撥水シート１０によって区画されたティッシュペーパー収納室１４内に収納することができる。
【００３９】
収納室１４内に収納される使用済みティッシュペーパー８，８…が増えると、その増加によって収納袋状の撥水シート１０を未使用ティッシュペーパー３の収納室１５側に膨らませ、未使用ティッシュペーパー３，３…を取出口４側に押すことができる。
【００４０】
斯くして、前記ティッシュペーパー収納箱１は、簡素で安価に製作できると共に、ティッシュペーパー３，３…の取出し及び使用済みのティッシュペーパー８，８…の収納が容易である。又、前記収納口９はミシン目１１で形成されるので、ミシン目１１を破断してワンタッチで収納口９を形成できる。更に、前記撥水シート１０は収納袋状に形成されるので、使用済みティッシュペーパー８，８…をコンパクトに収納できる。
【００４１】
図２に於いて、２１は本考案の第２実施例のティッシュペーパー収納箱であり、ティッシュペーパー収納箱２１は、箱体２２内部に複数枚の紙片状のティッシュペーパー２３，２３…が図に於いて上下方向に折り畳まれ重ねて収納され、且つ、隣接するティッシュペーパー２３，２３が相互に一部折り重なるように収納されると共に、箱体２２の上部にティッシュペーパー２３，２３…を取り出すための取出口２４が形成され、取出口２４よりティッシュペーパー２３，２３…を連続的に取り出せるように構成され、更に、箱体２２下面に使用済みティッシュペーパー２５，２５…を収納するための収納口２６が形成されると共に、箱体２２内部には、未使用のティッシュペーパー２３，２３…と使用済みティッシュペーパー２５，２５…とを分離するための可撓性の袋状の撥水シート２７が前記収納口２６と連通して設けられている。
【００４２】
前記取出口２４は箱体２２上面の略中央部を開穿して形成され、取り出口２４には、ティッシュペーパー２３，２３…を取り出すための直線状の開口部２８が形成された軟質フィルム２９が張設されている。尚、取出口２４は箱体２２にミシン目を刻設し、ミシン目を破断して形成するようにしても良い。
【００４３】
そして、前記収納口２６は、図３（ａ）に示す如く箱体２２の下面に形成された例えば円弧状のミシン目３０を破断して形成される。尚、前記収納口２６に代えて、同図（ｂ）に示す如く、前記取出口（図２に於いて２４）と同様に、箱体２２の一部を開穿して収納口２６Ａを形成し、開穿した収納口２６Ａに直線状の開口部３１が形成された軟質フィルム３２を張設しても良い。
【００４４】
而して、前記ティッシュペーパー収納箱２１は、前記取出口２４からティッシュペーパー２３を連続的に取り出すことができる。
【００４５】
一方、取り出して使用した使用済みティッシュペーパー２５は、前記収納口２６から、収納袋状の撥水シート２７によって区画された使用済みティッシュペーパー収納室３３内に収納することができる。
【００４６】
収納室３３内に収納される使用済みティッシュペーパー２５，２５…が増えると、その増加によって収納袋状の撥水シート２７を未使用ティッシュペーパー２３の収納室３４側に膨らませ、未使用ティッシュペーパー２３，２３…を取出口２４側に押し上げることができる。
【００４７】
斯くして、前記ティッシュペーパー収納箱２１も、前記ティッシュペーパー収納箱１と同様に、簡素で安価に製作できると共に、ティッシュペーパー２３，２３…の取出し及び使用済みのティッシュペーパー２５，２５…の収納が容易である。
【００４８】
図４に於いて、４１は本考案の第３実施例のティッシュペーパー収納箱収納体であり、ティッシュペーパー収納箱収納体４１は、箱状体に形成され、一側面が開放されて開放口４２が形成され、前面に２つの開口部４３，４３が開穿されており、前記開放口４２は、ティッシュペーパー取出口４４，４４が同一面となるように互いの横側面を接触させて並べた状態の２つのティッシュペーパー収納箱４５Ａ，４５Ｂが同時に、或いは、個別にティッシュペーパー収納箱４５Ａ，４５Ｂの縦側面側を先頭として出し入れ自在であり、前記２つの開口部４３，４３は、前記ティッシュペーパー収納箱収納体４１内に収納されたティッシュペーパー収納箱４５Ａ，４５Ｂのティッシュペーパー取出口４４，４４が夫々露出するように形成され、一方の前記ティッシュペーパー収納箱４５Ａは取出口４４よりティッシュペーパー（図示せず）を連続的に取り出せるように構成され、他方の前記ティッシュペーパー収納箱４５Ｂは空箱であり、この空箱のティッシュペーパー収納箱４５Ｂ内に使用済みティッシュペーパー（図示せず）を収納できるように構成されている。従って、空箱のティッシュペーパー収納箱４５Ｂのティッシュペーパー取出口４４は使用済みティッシュペーパー（図示せず）の収納口として利用される。
【００４９】
而して、前記ティッシュペーパー収納箱収納体４１は、ティッシュペーパーが収納されたティッシュペーパー収納箱４５Ａの前記取出口４４から開口部４３を通過させてティッシュペーパーを連続的に取り出すことができる。
【００５０】
一方、取り出して使用した使用済みティッシュペーパーは、開口部４３を通過させて前記空箱のティッシュペーパー収納箱４５Ｂの取出口４４（この場合、収納口となる）からティッシュペーパー収納箱４５Ｂ内に収納することができる。
【００５１】
斯くして、前記ティッシュペーパー収納箱収納体４１も、簡素で安価に製作できると共に、ティッシュペーパー収納箱４５Ａ，４５Ｂを容易に収納及び取出しができ、ティッシュペーパーの取出し及び使用済みのティッシュペーパーの収納も容易である。
【００５２】
尚、空箱のティッシュペーパー収納箱４５Ｂは図に於いて、ティッシュペーパー収納箱収納体４１内の上部側に収納することが好適であるが、下部側に収納することも可能である。又、ティッシュペーパー収納箱収納体４１は、前記開口部４３，４３が上面となるように向きを代えて用いることも可能である。
【００５３】
図５に於いて、５１は本考案の第４実施例のティッシュペーパー収納箱収納体であり、ティッシュペーパー収納箱収納体５１は、上面が開放されて開放口５２が形成されると共に、開放口５２を開閉自在の蓋体５３が設けられ、且つ、蓋体５３に２つの開口部５４，５４が開穿され、前記開放口５２は、ティッシュペーパー取出口５５，５５が同一面となるように互いの横側面を接触させて並べた状態の２つのティッシュペーパー収納箱５６Ａ，５６Ｂが同時に、或いは、個別にティッシュペーパー収納箱５６Ａ、５６Ｂの底面側を先頭として出し入れ自在であり、前記２つの開口部５４，５４は、前記蓋体５３が閉じた時、前記ティッシュペーパー収納箱収納体５１内に収納されたティッシュペーパー収納箱５６Ａ，５６Ｂのティッシュペーパー取出口５５，５５が夫々露出するように位置決めされて形成され、一方の前記ティッシュペーパー収納箱５６Ａは取出口５５よりティッシュペーパーを連続的に取り出せるように構成され、他方の前記ティッシュペーパー収納箱５６Ｂは空箱であり、この空箱のティッシュペーパー収納箱５６Ｂ内に使用済みティッシュペーパー（図示せず）を収納自在に構成されている。
【００５４】
従って、空箱のティッシュペーパー収納箱５６Ｂのティッシュペーパー取出口５５は使用済みティッシュペーパー（図示せず）の収納口として利用される。
【００５５】
而して、前記ティッシュペーパー収納箱収納体５１の蓋体５３を開き、互いの横側面を接触させて並べた状態で、或いは、個別に２つのティッシュペーパー収納箱５６Ａ，５６Ｂをその底面側を先頭として開放口５２からティッシュペーパー収納箱収納体５１内に収納し蓋体６３を閉じると、ティッシュペーパーが収納されたティッシュペーパー収納箱５６Ａの前記取出口５５から開口部５４を通過させてティッシュペーパーを連続的に取り出すことができる。
【００５６】
一方、取り出して使用した使用済みティッシュペーパーは、前記空箱のティッシュペーパー収納箱５６Ｂの取出口５５（この場合、収納口となる）から空箱のティッシュペーパー収納箱５６Ｂ内に収納することができる。
【００５７】
斯くして、前記ティッシュペーパー収納箱収納体５１も、簡素で安価に製作できると共に、ティッシュペーパー収納箱５６Ａ，５６Ｂを容易に収納及び取出しができ、ティッシュペーパーの取出し及び使用済みのティッシュペーパーの収納も容易である。
【００５８】
尚、空箱のティッシュペーパー収納箱５６Ｂは図に於いて後部に収納したが、前部に収納することも可能である。又、ティッシュペーパー収納箱収納体５１は、図示の状態から向きを代えて前記開口部５４，５４が図に於いて前面となるようにして用いることも可能である。
【００５９】
図６に於いて、６１は本考案の第５実施例のティッシュペーパー収納箱収納体であり、ティッシュペーパー収納箱収納体６１は、上面が開放されて開放口６２が形成されると共に、開放口６２を開閉自在の蓋体６３が設けられ、且つ、蓋体６３に一方の開口部６４が開穿され、ティッシュペーパー収納箱収納体６１の一側面に他方の開口部６５が形成され、前記開放口６２は、ティッシュペーパー取出口６６を上面にして上下２段に積み重ねた状態の２つのティッシュペーパー収納箱６７Ａ，６７Ｂが同時に、或いは、個別にティッシュペーパー収納箱６７Ａ，６７Ｂの横側面を先頭にして出し入れ自在に形成される。
【００６０】
又、下段側（図に於いて後方側）の前記ティッシュペーパー収納箱６７Ｂの横側面にはミシン目を破断する等して開穿される使用済みティッシュペーパー収納口６８が形成され、且つ、収納口６８は前記蓋体６３が閉じた時、前記一方の開口部６４から露出する位置に位置決めされて形成され、他方の開口部６５は、前記ティッシュペーパー収納箱収納体６１内に収納された上段（図に於いて前方側）のティッシュペーパー収納箱６７Ａのティッシュペーパー取出口６６が露出する位置に位置決めされて形成される。
【００６１】
そして、上段側の前記ティッシュペーパー収納箱６７Ａは取出口６６よりティッシュペーパー（図示せず）を連続的に取り出せるように構成され、下段のティッシュペーパー収納箱６７Ｂは空箱であり、この空箱のティッシュペーパー収納箱６７Ｂ内に使用済みティッシュペーパーを収納できるように構成されている。
【００６２】
而して、前記ティッシュペーパー収納箱収納体６１は、ティッシュペーパー収納箱６７Ａ，６７Ｂを収納し、蓋体６３を閉じた状態で、ティッシュペーパーが収納されたティッシュペーパー収納箱６７Ａの前記取出口６６から開口部６５を通過させてティッシュペーパーを連続的に取り出すことができる。
【００６３】
一方、取り出して使用した使用済みティッシュペーパーは、開口部６４を通過させて前記収納口６８から空箱のティッシュペーパー収納箱６７Ｂ内に収納することができる。
【００６４】
斯くして、前記ティッシュペーパー収納箱収納体６１も、簡素で安価に製作できると共に、ティッシュペーパー収納箱６７Ａ，６７Ｂを容易に収納及び取出しができ、ティッシュペーパーの取出し及び使用済みのティッシュペーパーの収納も容易である。
【００６５】
尚、ティッシュペーパー収納箱収納体６１は、前記開口部６５が図に於いて上面となるように向きを代えて用いることも可能である。但し、その場合、蓋体６３も取り付けを変更し、蓋体６３の回動支点が開放口６２の他側面側になるように変更する。
【００６６】
図７及び図８に於いて、７１Ａ，７１Ｂは本考案の夫々第６及び第７実施例のティッシュペーパー収納箱複合体であり、ティッシュペーパー収納箱複合体７１Ａ，７１Ｂは、ティッシュペーパーを連続的に取り出せるように構成されたティッシュペーパー収納箱７２の底面に、他の空箱のティッシュペーパー収納箱７３の上面を例えば両面接着テープ７４，７４等により貼着して重ね合わせ、空箱のティッシュペーパー収納箱７３の一側面部、例えば、図７に示すように横側面部、或いは、図８に示すように縦側面部に使用済みのティッシュペーパー（図示せず）を収納するための収納口を形成するためのミシン目７５を例えば湾曲状に刻設したものである。
【００６７】
而して、前記ティッシュペーパー収納箱複合体７１Ａ，７１Ｂは、図７及び図８に示すように、収納口を形成するためのミシン目７５が上面となり、前記ティッシュペーパー収納箱７２のティッシュペーパー取出口７６が前面になるように設置し、前記ミシン目７５を破断して収納口を形成する。
【００６８】
而して、ティッシュペーパーは、前記ティッシュペーパー収納箱７２のティッシュペーパー取出口７６から連続的に取り出すことができる。
【００６９】
一方、取り出して使用した使用済みティッシュペーパー（図示せず）は、前記収納口から空箱のティッシュペーパー収納箱７３内に収納することができる。
【００７０】
斯くして、前記ティッシュペーパー収納箱複合体７１Ａ，７１Ｂも、簡素で安価に製作できると共に、ティッシュペーパーの取出し及び使用済みのティッシュペーパーの収納も容易である。
【００７１】
図９に於いて、８１は本考案の第８実施例のティッシュペーパー収納箱複合体であり、ティッシュペーパー収納箱複合体８１は、ティッシュペーパーを連続的に取り出せるように構成されたティッシュペーパー収納箱８２の横側面に、ティッシュペーパー収納箱８２の上面と上面が同一面となるようにして、他の空箱のティッシュペーパー収納箱８３の横側面を例えば両面接着テープ８４，８４等により貼着して一体化し、空箱のティッシュペーパー収納箱８３に使用済みのティッシュペーパー（図示せず）を収納するように構成したものである。
【００７２】
而して、前記ティッシュペーパー収納箱複合体８１は、前記ティッシュペーパー収納箱８２のティッシュペーパー取出口８５からティッシュペーパーを連続的に取り出すことができる。
【００７３】
一方、取り出して使用した使用済みティッシュペーパー（図示せず）は、前記空箱のティッシュペーパー収納箱８３内にティッシュペーパー取出口８６（この場合、収納口となる）から収納することができる。
【００７４】
斯くして、前記ティッシュペーパー収納箱複合体８１も、簡素で安価に製作できると共に、ティッシュペーパーの取出し及び使用済みのティッシュペーパーの収納も容易である。
【００７５】
図１０に於いて、９１は本考案の第９実施例のティッシュペーパー収納箱であり、ティッシュペーパー収納箱９１は、ティッシュペーパーを連続的に取り出せるように構成された、例えば、前記ティッシュペーパー収納箱（図１に於いて１）の如きティッシュペーパー収納箱の底面一端部の略中央部近傍に、ミシン目を刻設して、ミシン目を破断した時、該一端部を回転中心として回転自在の回転片９２を形成し、且つ、回転片９２の略中心部に貫通孔９３を形成したものである。
【００７６】
而して、ミシン目を破断して回転片９２の一部を切り離し、前記一端部を回転中心として回転片９２をティッシュペーパー収納箱９１の端面外方に延ばし、貫通孔９３に止着ピン９４を貫通させて止着ピン９４を例えば壁面や柱体等の他所９５に止めることによりティッシュペーパー収納箱９１を他所９５に固定すれば、ティッシュペーパー収納箱９１内のティッシュペーパーが取出し易く、且つ、使用済みティッシュペーパーが収納し易くなる。
【００７７】
斯くして、前記ティッシュペーパー収納箱９１も、簡素で安価に製作できると共に、ティッシュペーパーの取出し及び使用済みのティッシュペーパーの収納も容易である。
【００７８】
尚、前記回転片９２を、ティッシュペーパーを連続的に取り出せるように構成された市販のティッシュペーパー収納箱に形成することも可能であり、然る時も、
ティッシュペーパーの取出しが容易となる。
【図面の簡単な説明】
【００７９】
【図１】本考案の第１実施例のティッシュペーパー収納箱の斜視図である。
【図２】本考案の第２実施例のティッシュペーパー収納箱の正面縦断図である。
【図３】（ａ）図２のティッシュペーパー収納箱の底面図である。（ｂ）図２のティッシュペーパー収納箱の別の実施例の底面図である。
【図４】本考案の第３実施例のティッシュペーパー収納箱収納体の斜視図である。
【図５】本考案の第４実施例のティッシュペーパー収納箱収納体の斜視図である。
【図６】本考案の第５実施例のティッシュペーパー収納箱収納体の斜視図である。
【図７】本考案の第６実施例のティッシュペーパー収納箱複合体の斜視図である。
【図８】本考案の第７実施例のティッシュペーパー収納箱複合体の斜視図である。
【図９】本考案の第８実施例のティッシュペーパー収納箱複合体の斜視図である。
【図１０】（ａ）本考案の第９実施例のティッシュペーパー収納箱の底面図である。（ｂ）本考案の第９実施例のティッシュペーパー収納箱を取り付けた状態を説明する側面図である。
【符号の説明】
【００８０】
１，２１，４５Ａ，４５Ｂ，５６Ａ，５６Ｂ，  ティッシュペーパー収納箱
６７Ａ，６７Ｂ，７２，７３，８２，８３，９１  ティッシュペーパー収納箱
２，２２  箱体
３，２３  ティッシュペーパー
４，２４，４４，５５，６６  取出口
１３，３２  軟質フィルム
８，２５  使用済みティッシュペーパー
９，２６  収納口
１０，２７  撥水シート
３１，４３，５４，６４，６５  開口部
３０  ミシン目
４１，５１，６１  ティッシュペーパー収納箱収納体
４２，５２，６２  開放口
５３，６３  蓋体
７１Ａ、７１Ｂ，８１  ティッシュペーパー収納箱複合体
７５  ミシン目
９２  回転片
９３  貫通孔
９４  止着ピン
９５  他所
【図１】
0003111647.tif 000003
【図２】
0003111647.tif 000004
【図３】
0003111647.tif 000005
【図４】
0003111647.tif 000006
【図５】
0003111647.tif 000007
【図６】
0003111647.tif 000008
【図７】
0003111647.tif 000009
【図８】
0003111647.tif 000010
【図９】
0003111647.tif 000011
【図１０】
0003111647.tif 000012